(57)【要約】      （修正有）【課題】手を消毒する場合に、頻繁に手を反転させなくても完全に消毒することができる、散布消毒器を提供する。【解決手段】タンク１と、主筐体２と、固定フレーム４と、ポンプアセンブリ５と、電源アセンブリ６と、複数のノズル７とを含み、タンクの内部に消毒液が収容され、主筐体はタンクの上方に設けられ、主筐体に手を受け入れる受入れ空間３が設けられ、固定フレームはタンクの上部に設けられ、且つ主筐体の内部空間に位置し、ポンプアセンブリは固定フレームの上端面に設けられ、導管を介してタンク内の消毒液に連通し、電源アセンブリは固定フレームの上端面に設けられ、且つポンプアセンブリに電気的に接続され、複数のノズルは主筐体に設けられ、ポンプアセンブリに接続され、複数のノズルは受入れ空間の周方向に設けられ且ついずれも噴液方向が受入れ空間に向けられる。【選択図】図３
0003233563.tif 000002
【実用新案登録請求の範囲】
【請求項１】
内部に消毒液が収容されるタンクと、
前記タンクの上方に設けられ、手を受け入れる受入れ空間が設けられる主筐体と、
前記タンクの上部に設けられ、且つ前記主筐体の内部空間に位置する固定フレームと、
前記固定フレームの上端面に設けられ、導管を介して前記タンク内の前記消毒液に連通するポンプアセンブリと、
前記固定フレームの上端面に設けられ、且つ前記ポンプアセンブリに電気的に接続される電源アセンブリと、
複数のノズルであって、前記主筐体に設けられ、前記ポンプアセンブリに接続され、複数の前記ノズルは前記受入れ空間の周方向に設けられ且ついずれも噴液方向が前記受入れ空間に向けられる前記複数のノズルとを含むことを特徴とする散布消毒器。
【請求項２】
前記ノズルの数量は２つであり、対称に前記受入れ空間の対向する側に設けられることを特徴とする請求項１に記載の散布消毒器。
【請求項３】
前記受入れ空間は前記主筐体の上部に位置し、且つ上向きに開口し、前記受入れ空間は２つの対向する平面と、２つの前記平面の間に位置する弧形面とを含み、２つの前記ノズルは２つの前記平面にそれぞれ取り付けられることを特徴とする請求項２に記載の散布消毒器。
【請求項４】
２つの前記平面と前記弧形面とによって前記主筐体の内部空間は中部の第１取付け空間と、前記第１取付け空間の両側に位置する第２取付け空間とに分けられ、前記ポンプアセンブリは前記第１取付け空間内に位置し、前記電源アセンブリは前記第２取付け空間内に位置することを特徴とする請求項３に記載の散布消毒器。
【請求項５】
２つの前記平面間の距離は下方から上方まで徐々に増加することを特徴とする請求項３に記載の散布消毒器。
【請求項６】
２つの前記平面には係止溝が対向して開設され、前記係止溝内には前記ノズルを取り付けるための係止板が係止されることを特徴とする請求項３に記載の散布消毒器。
【請求項７】
前記電源アセンブリは前記固定フレームの上端面に設けられる給電モジュールと回路基板とを含み、前記回路基板は前記給電モジュールと前記ポンプアセンブリとに電気的に接続されることを特徴とする請求項１〜６のいずれか１項に記載の散布消毒器。
【請求項８】
前記主筐体には前記電源アセンブリに電気的に接続されるスイッチが設けられることを特徴とする請求項１〜６のいずれか１項に記載の散布消毒器。
【請求項９】
前記主筐体には前記電源アセンブリに電気的に接続される検知素子が取り付けられ、前記検知素子は前記受入れ空間内の手の状態を検知するために用いられることを特徴とする請求項１〜６のいずれか１項に記載の散布消毒器。
【請求項１０】
前記タンクの上端に排液管が設けられ、前記固定フレームの下端に接続スリーブが設けられ、前記排液管は前記接続スリーブに挿入され且つ前記接続スリーブに螺合されることを特徴とする請求項１〜６のいずれか１項に記載の散布消毒器。
【考案の詳細な説明】
【技術分野】
【０００１】
本考案は、消毒装置の技術分野に属し、より詳しく言えば、散布消毒器に関する。
【背景技術】
【０００２】
散布消毒器は、ノズルから装置内部の消毒液を噴出して、手を消毒する消毒装置である。
【０００３】
従来の散布消毒器では、ノズルは１つだけ設置されることと、散布消毒器自体の取付け位置の影響で、手を消毒する過程で、完全に消毒するために頻繁に手を反転させる必要があり、手間がかかる。
【考案の概要】
【考案が解決しようとする課題】
【０００４】
本考案の目的は、散布消毒器を提供し、散布消毒器を用いて手を消毒する場合に、完全に消毒するために頻繁に手を反転させる必要があり、手間がかかるという課題を解決することである。
【課題を解決するための手段】
【０００５】
本考案が前記目的を果たすために採用する技術的解決手段は以下のとおりである。
内部に消毒液が収容されるタンクと、
前記タンクの上方に設けられ、手を受け入れる受入れ空間が設けられる主筐体と、
前記タンクの上部に設けられ、且つ前記主筐体の内部空間に位置する固定フレームと、
前記固定フレームの上端面に設けられ、導管を介して前記タンク内の前記消毒液に連通するポンプアセンブリと、
前記固定フレームの上端面に設けられ、且つ前記ポンプアセンブリに電気的に接続される電源アセンブリと、
複数のノズルであって、前記主筐体に設けられ、前記ポンプアセンブリに接続され、複数の前記ノズルは前記受入れ空間の周方向に設けられ且ついずれも噴液方向が前記受入れ空間に向けられる前記複数のノズルとを含む散布消毒器を提供する。
【０００６】
本願の更なる実施例として、前記ノズルの数量は２つであり、対称に前記受入れ空間の対向する側に設けられる。
【０００７】
本願の更なる実施例として、前記受入れ空間は前記主筐体の上部に位置し、且つ上向きに開口し、前記受入れ空間は２つの対向する平面と、２つの前記平面の間に位置する弧形面とを含み、２つの前記ノズルは２つの前記平面にそれぞれ取り付けられる。
【０００８】
本願の更なる実施例として、２つの前記平面と前記弧形面とによって前記主筐体の内部空間は中部の第１取付け空間と、前記第１取付け空間の両側に位置する第２取付け空間とに分けられ、前記ポンプアセンブリは前記第１取付け空間内に位置し、前記電源アセンブリは前記第２取付け空間内に位置する。
【０００９】
本願の更なる実施例として、２つの前記平面間の距離は下方から上方まで徐々に増加する。
【００１０】
本願の更なる実施例として、２つの前記平面には係止溝が対向して開設され、前記係止溝内には前記ノズルを取り付けるための係止板が係止される。
【００１１】
本願の更なる実施例として、前記電源アセンブリは前記固定フレームの上端面に設けられる給電モジュールと回路基板とを含み、前記回路基板は前記給電モジュールと前記ポンプアセンブリとに電気的に接続される。
【００１２】
本願の更なる実施例として、前記主筐体には前記電源アセンブリに電気的に接続されるスイッチが設けられる。
【００１３】
本願の更なる実施例として、前記主筐体には前記電源アセンブリに電気的に接続される検知素子が取り付けられ、前記検知素子は前記受入れ空間内の手の状態を検知するために用いられる。
【００１４】
本願の更なる実施例として、前記タンクの上端に排液管が設けられ、前記固定フレームの下端に接続スリーブが設けられ、前記排液管は前記接続スリーブに挿入され且つ前記接続スリーブに螺合される。
【考案の効果】
【００１５】
本考案に係る散布消毒器の有益な効果は以下のとおりである。従来技術と比べ、固定フレームは主筐体の内部空間に取り付けられ、固定フレームにおける電源アセンブリはポンプアセンブリに電気的に接続されて、ポンプアセンブリに電力を提供する。ポンプアセンブリが導管を介してタンク内の消毒液を複数のノズルに圧送し、受入れ空間の周方向に配置される複数のノズルから噴出させることにより、多くの角度からの散布で受入れ空間内の手を消毒することができる。従来技術による１つのノズルだけを備える散布消毒器と比べて、本考案に係る散布消毒器を用いて手を消毒する場合に、頻繁に手を反転させなくても完全に消毒することができ、便利である。
【図面の簡単な説明】
【００１６】
本考案の実施例に係る技術的解決手段をより明瞭に説明するために、次に実施例又は従来技術の説明で使用する図面を簡単に紹介する。明らかなことに、次に説明する各図は本考案のいくつかの実施例に過ぎず、当業者は進歩性のある作業をすることなく、これらの図から他の図を得ることができる。
【図１】図１は、本考案の実施例に係る散布消毒器の立体的構造の概略図である。
【図２】図２は、本考案の実施例に係る散布消毒器の上面図である。
【図３】図３は、図２のＡ−Ａに沿う断面図である。
【図４】図４は、図３のＢ箇所の拡大図である。
【考案を実施するための形態】
【００１７】
本考案が解決しようとする技術的課題、技術的解決手段及び有益な効果が一層明瞭になるよう、次に図面と実施例を結び付けて、本考案をさらに詳細に説明する。なお、次に説明する具体的な実施例は本考案を解釈するためのものに過ぎず、本考案を限定するためのものではない。
【００１８】
図１から図４を参照して、本考案に係る散布消毒器を説明する。散布消毒器であって、タンク１と、主筐体２と、固定フレーム４と、ポンプアセンブリ５と、電源アセンブリ６と、複数のノズル７とを含む。
【００１９】
タンク１の内部に消毒液が収容され、主筐体２はタンク１の上方に設けられ、主筐体２に手を受け入れる受入れ空間３が設けられ、固定フレーム４はタンク１の上部に設けられ、且つ主筐体２の内部空間に位置し、ポンプアセンブリ５は固定フレーム４の上端面に設けられ、導管を介してタンク１内の消毒液に連通し、電源アセンブリ６は固定フレーム４の上端面に設けられ、且つポンプアセンブリ５に電気的に接続され、複数のノズル７は主筐体２に設けられ、ポンプアセンブリ５に接続され、複数のノズル７は受入れ空間３の周方向に設けられ且ついずれも噴液方向が受入れ空間３に向けられる。
【００２０】
従来技術と比べ、本考案に係る散布消毒器は固定フレーム４が主筐体２の内部空間に取り付けられ、固定フレーム４における電源アセンブリ６がポンプアセンブリ５に電気的に接続されて、ポンプアセンブリ５に電力を提供する。ポンプアセンブリ５が導管を介してタンク１内の消毒液を複数のノズル７に圧送し、受入れ空間３の周方向に配置される複数のノズル７から噴出させることにより、多くの角度からの散布で受入れ空間３内の手を消毒することができる。従来技術による１つのノズル７だけを備える散布消毒器と比べて、本考案に係る散布消毒器を用いて手を消毒する場合に、頻繁に手を反転させなくても完全に消毒することができ、便利である。
【００２１】
具体的には、タンク１と主筐体２とは取り外し可能に接続され、又は主筐体２はそのままタンク１の上面に配置される。
【００２２】
本考案に係る散布消毒器の具体的な一実施形態として、図１から図３が参照されるとおり、ノズル７の数量は２つであり、対称に受入れ空間３の対向する側に設けられる。
【００２３】
本実施例では、２つのノズル７は対向して主筐体２の上部に取り付けられ、両側から受入れ空間３に消毒液を散布して、手を完全に消毒することができる。
【００２４】
選択可能で、ノズル７の数量は２つより多くてもよく、対向する両側の他に、別の方位にノズル７を配置して、手消毒液の散布範囲を拡大させてもよく、これにより消毒範囲が一層完全になる。
【００２５】
本考案に係る散布消毒器の具体的な一実施形態として、図１から図３が参照されるとおり、受入れ空間３は主筐体２の上部に位置し、且つ上向きに開口し、受入れ空間３は２つの対向する平面１３と、２つの平面１３間に位置する弧形面１４とを含み、２つのノズル７は２つの平面１３にそれぞれに取り付けられる。
【００２６】
本実施例では、受入れ空間３は主筐体２の上部に位置し、主筐体２の上面の中部から下向きに陥没して、Ｕ字状の受入れ空間３が形成される。当該受入れ空間３は主筐体２の外側壁によって画定され、具体的には２つの対向する平面１３と、底部の弧形面１４とを含む。
【００２７】
本装置の取付け位置によって、受入れ空間３は上向きに開口してもよいし、下向きに開口してもよいし、又は任意の角度で開口してもよい。本装置を利用して手を消毒する人は当該受入れ空間３の開口から手を入れると、両側のノズル７が同時に手を消毒し、使用しやすい。
【００２８】
本考案に係る散布消毒器の具体的な一実施形態として、図１から図３が参照されるとおり、２つの平面１３と弧形面１４とによって主筐体２の内部空間は中部の第１取付け空間と、第１取付け空間の両側に位置する第２取付け空間とに分けられ、ポンプアセンブリ５は第１取付け空間内に位置し、電源アセンブリ６は第２取付け空間内に位置する。
【００２９】
本実施例では、受入れ空間３は、主筐体２の内部空間が底部の第１取付け空間と第１取付け空間の両側に位置する第２取付け空間とを構成するように配置される。
【００３０】
なお、ポンプアセンブリ５は第１取付け空間内に取り付けられ、ポンプアセンブリ５が横方向に取り付けられ、第１取付け空間の幅方向のスペースが充分に利用され、電源アセンブリ６は第２取付け空間内に取り付けられ、電源アセンブリ６が縦方向に取り付けられ、第２取付け空間の高さ方向のスペースが充分に利用される。
【００３１】
また、２つの第２取付け空間のスペースを利用するためには、２つの第２取付け空間内にそれぞれ電源アセンブリ６が取り付けられてもよく、２つの電源アセンブリ６が十分な電力を提供できるため、電源の取り替えの頻度は短縮される。なお、電源アセンブリ６は１つ設けられてもよく、任意の第２取付け空間内に取り付けられる。
【００３２】
本考案に係る散布消毒器の具体的な一実施形態として、図１から図３が参照されるとおり、２つの平面１３間の距離は下方から上方まで徐々に増加する。
【００３３】
本実施例では、２つの平面１３は受入れ空間３が拡開した形状になるよう配置され、手を入れやすいだけでなく、本装置の美観性が改善される。
【００３４】
本考案に係る散布消毒器の具体的な一実施形態として、図１から図３が参照されるとおり、２つの平面１３には係止溝が対向して開設され、係止溝内にはノズル７を取り付けるための係止板１１が係止される。
【００３５】
本実施例では、係止溝は主筐体２の側壁を貫通する段付き溝であり、また、係止板１１の周方向には当該段付き溝に適合する段部が設けられ、両者は緊密に嵌め合い又は締まり嵌めにされ、係止板１１が係止溝内に係止されることで、ノズル７は主筐体２に固定され、受入れ空間３の周方向に位置決めされる。
【００３６】
具体的には、ノズル７が係止板１１に取り付けられ、そして主筐体２上の係止溝に適合して取り付けられることにより、ノズル７の取付けと位置決めが容易であり、また、ノズル７が壊れた場合に、ノズル７の取り替えも容易である。
【００３７】
具体的には、電源アセンブリ６は固定フレーム４の上端面に設けられる給電モジュールと回路基板とを含み、回路基板は給電モジュールとポンプアセンブリ５とに電気的に接続される。
【００３８】
選択可能で、給電モジュールは乾電池又は二次電池である。
【００３９】
本考案に係る散布消毒器の具体的な一実施形態として、図２が参照されるとおり、主筐体２には電源アセンブリ６に電気的に接続されるスイッチ８が設けられる。
【００４０】
本実施例では、スイッチ８はタッチスイッチであり、当該スイッチ８をタッチしてポンプアセンブリ５と電源アセンブリ６との電気的な接続の保持と切断を制御する。
【００４１】
選択可能で、スイッチ８はノブ式、弾力式又は検知式などである。
【００４２】
また、排液管９の上端に導管が挿入され、導管はタンク１内の消毒液の液面以下まで延伸し、ポンプアセンブリ５は導管を介して消毒液をノズル７内に圧送する。
【００４３】
本考案に係る散布消毒器の具体的な一実施形態として、図２及び図３が参照されるとおり、主筐体２には電源アセンブリ６に電気的に接続される検知素子１２が取り付けられ、検知素子１２は受入れ空間３内の手の状態を検知するために用いられる。
【００４４】
本実施例では、検知素子１２は位置検知素子又は光検知素子であってもよく、主筐体２に取り付けられ、受入れ空間３の片側に位置し、手を受入れ空間３に入れたら、検知素子１２は手の位置又は手が光線を遮ることを検知することにより、検知信号を生成してコントローラに送信し、コントローラによってポンプアセンブリ５を制御して起動させて、ノズル７による消毒液散布を実現する。また、手を離したら、検知素子１２がコントローラによってポンプアセンブリ５をオフすると、ノズル７は消毒液の散布を停止する。
【００４５】
本考案に係る散布消毒器の具体的な一実施形態として、図３及び図４が参照されるとおり、タンク１の上端に排液管９が設けられ、固定フレーム４の下端に接続スリーブ１０が設けられ、排液管９は接続スリーブ１０に挿入され且つ接続スリーブ１０に螺合される。
【００４６】
本実施例では、タンク１を外部に連通させる出口はタンク１上の排液管９だけで、そこから消毒液を入れ、又は消毒液を排出させることができる。排液管９の外壁にねじが開設され、また、固定フレーム４の下端の接続スリーブ１０には排液管９の外壁のねじに適合するねじが設けられ、排液管９によってタンク１が下方から上方へ固定フレーム４の接続スリーブ１０内に螺入されることで、タンク１と固定フレーム４との接続が実現される。
【００４７】
上述したのが本考案の好ましい実施例に過ぎず、本考案はこれに限定されず、本考案の趣旨を逸脱せず補正や、同等な置換え、改善などが行われる場合、そのいずれも本考案の保護範囲に含まれる。
【符号の説明】
【００４８】
１...タンク、２...主筐体、３...受入れ空間、４...固定フレーム、５...ポンプアセンブリ、６...電源アセンブリ、７...ノズル、８...スイッチ、９...排液管、１０...接続スリーブ、１１...係止板、１２...検知素子、１３...平面、１４...弧形面。
【図１】
0003233563.tif 000003
【図２】
0003233563.tif 000004
【図３】
0003233563.tif 000005
【図４】
0003233563.tif 000006